(57)【特許請求の範囲】
【請求項１】
ボデーへ押付けると該ボデーに取付けられる取付手段を有する締結部と、該締結部に連結され且つパイプ等の取付部材を保持するパイプ保持手段を有するパイプ保持部とを備え、前記締結部と前記パイプ保持部との間には該締結部と該パイプ保持部との間の振動の伝達を防止する防振部材が設けられている、防振保持具において、
前記締結部と前記パイプ保持部とは、それぞれ、硬質プラスチック材料で別体に形成されており、
前記防振部材は、前記締結部の外周を捲回する形状に振動吸収材性料で形成され、該締結部にその外周を捲回した状態で取付けられており、
前記パイプ保持部は、前記パイプ保持手段と、前記締結部が連結される基部とを有し、該基部は前記締結部を受入れる空間が形成された収容部分を有し、該収容部分は、前記防振部材付き締結部を、該締結部の押付け方向と直交する方向に、差し込んでスライドすることによって受入れる形状に形成され、該収容部分の入口には、受入れた防振部材付き締結部を抜け出さないようにする抜け止め爪が設けられており、
前記締結部は、前記ボデーへの押付け方向における両端部にそれぞれ形成されたフランジを有し、該両フランジの間の該締結部部分の外周に前記防振部材が受入れられて保持されており、
前記防振部材付き締結部は、前記パイプ保持部の基部の前記収容部分に収容されると前記防振部材の外周だけが該収容部分に嵌合して該防振部材が前記締結部と前記パイプ保持部とを連結している、
ことを特徴とする防振保持具。
【請求項２】
請求項１に記載の防振保持具において、前記パイプ保持部の基部には前記スライド方向に延びる差し込みガイドが一対形成されており、前記防振部材の側面には、その差し込みガイドに適合する差し込み溝が形成されている、ことを特徴とする防振保持具。
【請求項３】
請求項１又は２に記載の防振保持具において、前記取付手段は、ボデーに立設されてねじ又は複数の周溝が形成された棒状のスタッドを受入れるように、前記締結部に形成されたスタッド受入穴と、前記スタッドのねじ溝又は周溝に係止する係止爪とから成ることを特徴とする防振保持具。
【請求項４】
請求項１又は２に記載の防振保持具において、前記取付手段は、ボデーに設けられた穴に挿入することによって係止するクリップであることを特徴とする防振保持具。
【発明の詳細な説明】
【０００１】
【発明の属する技術分野】
本発明は、車体等のボデーに燃料パイプやブレーキパイプ等の取付部材を取付けるのに用いる保持具であって、取付部材からの振動をボデーに伝達しないように又はボデーからの振動を取付部材に伝達しないようにする防振手段を設けた防振保持具に関する。
【０００２】
【従来の技術】
燃料パイプやブレーキパイプ等の取付状部材を自動車のボデーに保持させる合成樹脂製の保持具が知られている。この保持具において、燃料パイプやブレーキパイプから伝わる振動をボデーに伝達しないように、振動吸収材で成る防振部材を設けた防振保持具も知られている。例えば、実開平１−１２１７８２号公報には、ボデーへ固定する締結部とパイプを保持するパイプ保持部との間に防振材を介挿して締結部とパイプ保持部とを連結して、パイプをボデーへ取付ける防振保持具が開示されている。この防振保持具は、パイプで発生した振動がボデーに伝達されないので、車室内の静粛さを維持する。
【０００３】
【発明が解決しようとする課題】
上記の防振保持具の締結部をボデーへ固定させるには、締結部の脚部の爪をボデーの取付穴に押し込んでボデーの取付穴を貫通させ、ボデー裏面側に出た脚部爪とボデーの表側の防振ゴムによって、防振ゴムの弾性を利用して取付ける。締結部の脚部はボデーの取付穴に適正な姿勢（ボデー面に直交する姿勢）で押し込まないと、脚部爪が適正な姿勢で取付穴を貫通しないので、ゴムの弾性によって取付けができない。例えば、締結部の両側にあるパイプ保持部を押し込むと、締結部には斜め方向の力が加わり、適正な取付けができないことがあった。また、取付けの際に締結部の脚部先端が、ボデーの取付穴のない部分に置かれた状態で締結部以外の部分（例えばパイプ保持部）を強く押し込むと、締結部の先端にはボデーからの反力が加わって、締結部が防振ゴムから抜け出てしまうこともあった。実開平５−７３３８９号公報及び実開平４−７５２８９号公報には、ボルトとナットから成る締結具を用いて締結部をボデーに固定し、その締結部に防振材で成るパイプ保持部を連結した防振保持具を開示している。この防振保持具は、ボデーへの取付けは安定しているが、防振材でパイプを保持するため、パイプの保持力が弱く、保持力の強化のためにカバー等を必要としている。
【０００４】
従って、本発明の目的は、防振の機能を維持しながら、カバーを必要とせずにパイプを強固に保持することができ、ボデーへの取付けも熟練を必要とせずに簡単に且つ適正に行える、防振保持具を提供することにある。
【０００５】
【課題を解決するための手段】
本発明によれば、ボデーへ押付けると該ボデーに取付けられる取付手段を有する締結部と、該締結部に連結され且つパイプ等の取付部材を保持するパイプ保持手段を有するパイプ保持部とを備え、締結部とパイプ保持部との間には該締結部と該パイプ保持部との間の振動の伝達を防止する防振部材が設けられている、防振保持具であって、締結部とパイプ保持部とは、それぞれ、硬質プラスチック材料で別体に形成されており、防振部材は、締結部の外周を捲回する形状に振動吸収材性料で形成され、該締結部にその外周を捲回した状態で取付けられており、パイプ保持部は、パイプ保持手段と、締結部が連結される基部とを有し、該基部は締結部を受入れる空間が形成された収容部分を有し、該収容部分は、防振部材付き締結部を、該締結部の押付け方向と直交する方向に、差し込んでスライドすることによって受入れる形状に形成され、該収容部分の入口には、受入れた防振部材付き締結部を抜け出さないようにする抜け止め爪が設けられており、締結部は、ボデーへの押付け方向における両端部にそれぞれ形成されたフランジを有し、該両フランジの間の該締結部部分の外周に防振部材が受入れられて保持されており、防振部材付き締結部は、パイプ保持部の基部の収容部分に収容されると防振部材の外周だけが該収容部分に嵌合して該防振部材が締結部とパイプ保持部とを連結している、ことを特徴とする防振保持具が提供される。
【０００６】
上記の通り、ボデーに押付けるだけで締結部は簡単に且つ適正に取付けられ、締結部のボデーへの取付強度は高く維持され、また、パイプ保持部を連結する防振材は締結部をパイプ保持部に直接係合させることがないので、本来の防振機能は高く維持され、更に、パイプは、柔らかい防振材ではなく、硬いパイプ保持部に保持されるので、安定し且つ強固に保持され、締結部の取付強度は高く、取付けが解除されることはない。パイプ保持部の基部の収容部分は、防振部材付き締結部を、締結部の押付け方向とは直交する方向に差し込んでスライドすることによって受入れる形状に形成され入口部分に抜け止め爪が形成されて、防振部材付き締結部をパイプ保持部に簡単に且つ確実に組み付けることができ、その締結部は、締結部の押付け方向における両端部にフランジが形成され、その両フランジの間に防振部材を受入れて保持され、これにより、防振部材は、締結部からスタッドの軸線方向に抜け出るのが防止され、確実に締結部に固定される。
【０００７】
パイプ保持部の基部に、締結部のスライド方向に延びる差し込みガイドが一対形成されており、防振部材の側面には、その差し込みガイドに適合する差し込み溝が形成されてるのが好ましく、これによって、組み付け作業が一層容易に且つ確実に行われる。そして、防振部材は、締結部に取り外し可能に取付けられていてもよく、締結部に一体的に連結されていてもよい。また、取付手段として、ボデーに立設された棒状のスタッドを利用する場合、締結部には、スタッド受入穴とスタッドのねじ溝又は周溝に係止する係止爪とが形成される。取付手段として、ボデーの穴を利用する場合、ボデー穴に挿入することによって係止するクリップが締結部に設けられてもよい。
【０００８】
【発明の実施の形態】
以下、図面を参照して本発明の実施例を説明する。図１〜図１７には、本発明の第１の実施例に係る防振保持具１が示されている。防振保持具１は、図１〜図３に示すパイプ保持部２と図４〜図８に示す締結部３とを備え、締結部３には、図９〜図１１に示すゴム製の防振部材５が取付けられて、締結部３をパイプ保持部２に連結している。防振部材５は、図１２に示すように、締結部３に組み付けられて、図１３に示すように、締結部３に一体的に組み付けられる。図１４は、防振部材５の付いた締結部３をパイプ保持部２の基部の収容部に差し込みによって連結する様子を示している。図１５及び図１６は、防振部材５の付いた締結部３とパイプ保持部２とが連結されて成る防振保持具１を示している。図１７は、防振保持具１をボデーに立設されたスタッドに係止する様子を示している。防振保持具１のパイプ保持部２と締結部３とは、それぞれ、パイプを確実に保持し、ボデーへの締結を強固にするように、硬質のプラスチック材料から成る。また、防振部材５は、振動を吸収する性質をもつ材料で成り、代表的には、振動吸収材料として多用される天然ゴム材料又は合成ゴム材料である。図示の実施例においては、ボデーへの取付部材がパイプであるので、取付部材用保持部が、パイプ保持部として形成されている。しかし、本発明は、取付部材をパイプに限定するものではなく、ボデーへの取付部材は任意のものでよい。取付部材用保持部もその取付部材に合わせて任意に形成できる。
【０００９】
図１〜図３において、パイプ保持部２は、パイプを押し込むとことによって、パイプを収容して保持する複数のパイプグリップ部６、７、８、９、１０と、締結部３を収容して保持する基部１２とから成る。パイプグリップ部６、８〜１０の各々には、パイプを受入れた後そのパイプが抜け出すのを阻止する抜け止め片１３がそれぞれ設けられている。図示の実施例において、１つのパイプグリップ部７は、異なる直径のパイプであっても保持するように形成されている。このパイプグリップ部７には、大径のパイプを受入れる固定の受け面１４と、小径のパイプを受入れる旋回可能な受け面１５とが形成され、また、大径のパイプに係合する抜け止め片１７と、小径のパイプに係合する別の抜け止め片１８とが設けられている。図３の底面図から明らかなように、旋回可能な受け面１５の部分の底面は開口しており、受け面１５が図２の下方に旋回できるようになっている。従って、パイプグリップ部７は、異種径のパイプを保持することができる。
【００１０】
基部１２は、パイプ保持部２の中央に、締結部３を収容する収容部として形成されている。締結部３を収容するため、基部１２は、パイプ保持部２の底面部において、その底面部から一体的に水平に且つ四角形の枠を形成する２対のフレーム１９、１９、２１、２１と、パイプ保持部２の上面部において、その上面部から一体的に水平に且つ四角形の枠であって一方が開放した枠を形成する一対のガイド２２とそのガイドを連結するガイドフレーム２３とを有し、これらのフレーム以外の部分は締結部を受入れる収容部のための空間となっている。基部１２の下側のフレーム１９、２１は、基部１２の剛性を確保するものである。このフレームは、締結部３を収容し且つ収容した締結部にスタッドが貫通する空間を形成しつつ剛性が確保できる限り、フレームに限らず、任意の形状のもの、例えば、中央が開口した板状体で形成してもよい。また、基部１２において、図２に図示のように、下側のフレーム１９と上側のガイドフレーム２３との間は、締結部３の下部を受入れる空間２４を形成する長さをもって離れている。
【００１１】
上側のガイド２２及びガイドフレーム２３は、締結部３（後述のように、正確には防振部材付きの締結部）に嵌合して保持するためのもので、図１に最もよく示されるように、平面においてコの字形状の一方が開口した枠を形成している。ガイド２２及びガイドフレーム２３で包囲する部分には、締結部３を受入れる空間が形成されて、その空間に締結部３が収容される。ガイド２２及びガイドフレーム２３で形成する枠の開口部側が、締結部３を差し込むための入口となっており、ガイドフレーム２３は、基部１２の剛性を確保する外に、スライドによって収容した締結部３のストッパとして機能し、締結部３を適正な位置に位置決めして保持する。一対のガイド２２は、締結部３（正確には防振部材付きの締結部の防振部材）の側面に形成されたガイド溝に嵌合して、締結部３をパイプ保持部２に連結する機能を有する。各ガイド２２の入口側の端部には、収容した締結部が抜け出さないようにする抜け止め爪２５が形成されている。この抜け止め爪２５は、図示のように、締結部３の差し込み方向へのスライドはできるが、収容後の抜け出しは阻止する弾性爪として形成されている。締結部３の取り外しを可能にするように、各抜け止め爪２５の先端は延び出ており、外側へ撓めることができるようになっている。
【００１２】
図４〜図８に締結部３の詳細を示す。締結部３は、車体等のボデーに立設したねじ又は複数の周溝が形成されたスタッドを利用して、ボデーに取付けられる。そのため、締結部３には、中心にスタッド受入穴２６が貫通している。このスタッド受入穴２６は、図４及び図６に図示のように、円形又は正方形の穴ではなく長穴として形成されている。このように長穴にしたのは、複数のスタッドのピッチがパイプ上の複数の保持具のピッチとずれた場合にそのずれを吸収できるようにするためである。一般に、ボデー上を所定の配置デザインで延びるパイプについて、ボデー上の所定の複数の個所に設けられたスタッドのそれぞれにパイプが固定されるように、防振保持具１は、スタッドの各位置に合わせてパイプの所定間隔毎に先付けされて、この防振保持具付きのパイプが納品されてボデーのスタッドに取付けられる。このとき、スタッド間のピッチと保持具間のピッチとがずれてしまうと、保持具のスタッド受入穴が正方形であると、スタッドと保持具の受入穴が合わなくなり、保持具をスタッドへ係合するのが困難になる。スタッド受入穴を長穴に形成しておくことによって、かかるスタッド間のピッチのずれを吸収できる。
【００１３】
締結部３のスタッド受入穴の内面には、スタッドのねじ溝又は周溝に係合する一対の係止爪２７、２７が形成されている。本実施例において、締結部３がスタッドから抜き出されようとしても係止爪２７がスタッド根元側へ移動するのを制限する突起２９が、係止爪２７の上端側に設けられている。また、係止爪２７は多段に形成されてスタッドへの係合面を多くしている。これによって、スタッドへの押し込みには力を必要としないが、抜き出しの阻止力は高く維持されるので好都合である。しかしながら、係止爪２７は、上記の構成である必要はなく、スタッドへの押し込によって係止して抜き出しが阻止できるのであれば、一般に多用されている形状の係止爪でもよい。なお、係止爪２７は、図７に示すように、スタッド受入穴２６の長穴に合わせて平板状に形成されるのが好ましく、これによって、スタッドのピッチずれを吸収するように広い範囲にわたってスタッドに係止できる。
【００１４】
締結部３には、防振部材５がその側面となる外周面を捲回するように取付けられる。締結部３には、取付けた防振部材５がボデーに立設されたスタッドへの押し込み方向（図５の上下の方向）において外れないようにするため、締結部３のボデーへの押付け方向すなわち図５の上部に向かう方向にみて、両端部（上端及び下端）にそれぞれ上部フランジ３０及び下部フランジ３１が形成されており、上部フランジ３０と下部フランジ３１との間に、防振部材５を受入れて保持する空間を形成している。これらのフランジ３０及び３１によって、締結部３をスタッドに押し込んだり締結部３にスタッドから引き出す力が作用しても、防振部材５は締結部３から外れることはなくなる。なお、図５及び図６に図示のように、上部フランジ３０は、下部フランジ３１より左右の方向において外方に張出して形成されている。この上部フランジ３０の長さは、パイプ保持部２の基部１２に形成された空間２４の開口部分の幅（図２の左右方向の長さ）より大きく形成されており、上部フランジ３０は空間２４に差し込みできないようになっている。締結部３には係止爪２７が設けられており、スタッドへの係止のために、締結部３はスタッドに対して向きが定まっている。長い上部フランジ３０によって、防振部材５付きの締結部３は、上部フランジ３０を上向きにした適正な向きの状態では基部１２へ差し込みできるが、下向きにした不適正な状態では、パイプ保持部２の基部１２に連結されない。これによって、締結部３はパイプ保持部２の適正な向きに取付けられ、締結部３の係止爪２７はスタッドへの押し込み方向に対して適正に係止する。下部フランジ３１は、空間２４に受入れられるように、基部１２の空間２４の開口部分の幅より短く形成されている。
【００１５】
締結部３の軸部３３は、スタッド受入穴２６を囲む、一対の壁部分と他の一対の支柱部分とで形成され、支柱部分のある側には、係止爪２７の成形用の窓３４が形成されている。軸部３３の高さ及び水平断面における外周の大きさは、基部１２のガイド２２及びガイドフレーム２３で形成される空間を含む大きさと、軸部３３の外周面を捲回する防振部材５の大きさとに適合するように定められる。すなわち、防振部材５を捲回した締結部３が、基部１２のガイド２２及びガイドフレーム２３で形成される空間に差し込んでスライドすると、パイプ保持部２に連結される大きさにされる。この大きさは、防振部材５付きの締結部３が、基部１２に連結される限り、任意の寸法にできる。また、上部フランジ３０には、スタッド受入穴２６の回りに、それより大きな凹所３５が形成されており、ボデーに立設されたスタッドの先端を拾い易くしてある。凹所３５の変形として、フランジ３０の高さ方向の厚さを大きくして、凹所の入口からスタッド受入穴に向けて直径が次第に減少するように形成することもできる。これは、締結部３を連結した防振保持具１をスタッドへ押し込むとき、広く開口した凹所がスタッド先端を拾えば、その押し込みに従って、スタッド受入穴がスタッドの先端に誘いこまれるように、防振保持具１全体が誘導されるので、便利である。
【００１６】
図９及び図１０に防振部材５の詳細を示す。防振部材５は、例えば、振動を吸収する材料として多用される天然ゴム又は合成ゴムで一体成形される。その大きさ及び形状は、締結部３の軸部３３を捲回し且つ締結部３の上部フランジ３０及び下部フランジ３１の間の空間に収容される高さを持ち、また、パイプ保持部２の基部１２のガイド２２及びガイドフレーム２３によって形成される空間に嵌合されるように定められる。本実施例において、締結部３及びガイド２２及びガイドフレーム２３による空間に合わせて、矩形の枠を形成する４つの辺３７〜３９及び４１で形成されている。これらの辺のうち、３辺３７〜３９は連続しているが、他の１辺４１は中央で切断されている。この切断部分によって、辺４１を軸部３３より大きく開くことができ、防振部材５を締結部３の軸部３３に捲回するように取付けるのが簡単にできる。防振部材５には、図１０に示すように、各辺３７〜３９の外側部分に、パイプ保持部２の基部１２のガイド２２及びガイドフレーム２３に嵌合する溝４２が形成されている。溝４２は、辺４１にも形成されており、この溝４２には、ガイド２２から延びる抜け止め爪２５が嵌合するようになっている。これらの溝４２によって、防振部材５は、基部１２にガイド２２及びガイドフレーム２３によって連結される。防振部材５は締結部３の軸部３３の外周面を捲回するように取付けられるので、防振部材５が締結部３をパイプ保持部２の基部１２に取付ける役目を果たす。
【００１７】
防振部材５の大きさ及び形状は、締結部材３と基部１２とによって定められるが、例えば、防振特性、例えば吸収すべき振動の周波数等に合わせて、形状を変えることも行われる。図１１は、図９及び図１０に示す防振部材５とは異なる防振特性を有する防振部材の外観の一部を示している。このように、防振特性の異なる防振部材を幾つか用意して、必要な防振特性に合致するものを締結部に取付けて用いることができる。また、別の変形例としては、防振部材５を、締結部３の製造時において一体的に形成してもよく、防振部材を締結部に取付ける手間が省ける。
【００１８】
以下、防振保持具１の組立てと取付けの様子を図１２〜図１７を参照して説明する。図１２において、防振部材５の辺４１を拡げて、矢印４３に示すように、締結部３の軸部３３に防振部材５を捲回するように取付ける。図１３は、防振部材５を締結部３に一体的に連結した様子を示している。防振部材５が取付けられた締結部３は、図１４の矢印４５に図示のように、パイプ保持部２の基部１２の締結部３を収容する空間へ、締結部３の押付け方向とは直交する方向に、締結部３を差し込んでスライドする。この差し込み操作は、締結部３の防振部材５の側面に形成された一対の溝４２に、基部１２の一対のガイド２２を受入れるように合わせて、そのまま、締結部３をスライドさせる。締結部３の防振部材５が、ガイドフレーム２３に達すると、抜け止め爪２５が、防振部材５付きの締結部３を基部１２の中に収容したままロックして、抜き出しを阻止する。このとき、防振部材５だけが基部１２のガイド２２及びガイドフレーム２３に嵌合して、防振部材５が締結部３とパイプ保持部２とを連結する。従って、締結部３がパイプ保持部２に直接接触することはないので、パイプ保持部２の振動が締結部３に直接伝達されることはなく、締結部３の振動がパイプ保持部２に直接伝達されることもなくなり、中間の防振部材５によって振動が確実に吸収される。また、防振部材５がゴム製等によって剛性がない場合でも、この防振部材５は、剛性の高い締結部３に取付けられるので、防振部材付きの締結部３の剛性は高く維持され、締結部３とパイプ保持部２との連結強度は高く維持される。
【００１９】
図１５は、防振部材付きの締結部３がパイプ保持部２の基部１２に収容され、締結部３とパイプ保持部２とが防振部材５を仲介にして固く連結されて、防振保持具１として組立てが完了した様子を示している。防振保持具１には、図１６に図示のように、取付部材としての複数のパイプ４６、４７が、パイプ保持部２のパイプグリップ部６〜１０に押し込んで保持される。パイプ４６、４７は、直径の異なるものとして示されている。パイプ４６、４７は、長く延びており、複数の防振保持具１は、そのパイプ４６、４７に所定の間隔をおいて取付けられる。例えば、パイプへの防振保持具１の組み付けは、パイプのメーカ等においてなされ、防振保持具付きのパイプ群が、自動車メーカ等に納品される。図１７に図示のように、自動車の車体等のボデー４９には、ねじ（又は複数の周溝）が形成された棒状のスタッド５０が、所定の個所に立設されている。ここへ防振保持具１付きのパイプ群が持ち込まれ、スタッド５０を利用して、ボデー４９の所定個所に取付けられる。
【００２０】
パイプに取付けた各防振保持具１は、締結部３の上部フランジ３０に形成した凹所３５に、スタッド５０の先端を拾うように位置決めされて、スタッド５０が締結部３のスタッド受入穴２６にスタッド５０を受入れるようにボデー４９に押付けられる。図１７において、防振保持具１はボデー４９に向けて上方に押付けられる。この押付けによって、締結部３の係止爪２７がスタッド５０のねじ溝に係止しつつ上昇し、防振保持具１が最上位置に達すると、係止爪２７の作用によって、締結部３を、ひいては防振保持具１をその位置に保持する。なお、防振保持具１を上昇させるとき、パイプ保持部材２には保持したパイプによって上昇を阻止する力が作用して、防振部材５を締結部３から下方に抜き出す力が作用するが、締結部３には下部フランジ３１が設けられており、防振部材５が締結部３から抜き出ることはない。また、パイプの取付け後において、パイプの位置の調整を行う場合、パイプを直接もって行っても、パイプが抜け出たり、締結部との連結が外れたりすることはない。更に、この場合において、パイプ保持部２をボデー側へ押付けて、防振部材５を介して締結部３との連結を外す力が作用しても、締結部３には上部フランジ３０が設けられており、防振部材５は締結部３から抜き出ることはない。従って、防振保持具１は、防振機能を確実に発揮し、しかも、取付部材（パイプ）をボデーに確実に且つ強固に連結することができる。
【００２１】
図１８は、第２の実施例に係る防振保持具５２が示されている。この防振保持具５２は、第１実施例の防振保持具１と殆ど同じ構成であるが、締結部５３の上部フランジ３０には、ボデーに設けられた穴に挿入することによって係止するクリップ５４が設けられている点で違っている。このクリップ５４は、図１８の上面からみるとほぼ正方形の形状の棒状に形成され、その中間からフランジ３０に隣接する位置まで斜め外方に延びる弾性係止爪５６が形成されている。クリップ５４によって、ボデーには取付穴を形成するだけで、スタッド等を取付ける手間がなくなる。
【００２２】
【発明の効果】
本発明によれば、ボデーに押付けるだけで締結部は簡単に且つ適正にボデーに取付けられ、取付部材の保持部と締結部との連結強度は締結部に取付けられた防振部材によって高く維持され、防振保持具のボデーへの取付強度は高く維持され、また、パイプ保持部を連結する防振材は締結部をパイプ保持部に直接係合させることがないので、本来の防振機能も高く維持され、更に、取付部材は、柔らかい防振材ではなく、硬い保持部に保持できるので、安定し且つ強固に保持され、締結部の取付強度は高く、取付けが解除されることはない。
【図面の簡単な説明】
【図１】本発明の第１実施例の防振保持具のパイプ保持部の平面図である。
【図２】図１のパイプ保持部の正面図である。
【図３】図１のパイプ保持部の底面図である。
【図４】本発明の第１実施例の防振保持具の締結部の平面図である。
【図５】図４の締結部の正面図である。
【図６】図４の締結部の底面図である。
【図７】図５の締結部のＡ−Ａ線断面図である。
【図８】図４の締結部のＢ−Ｂ線断面図である。
【図９】本発明の第１実施例の防振部材の平面図である。
【図１０】図９の防振部材の正面図である。
【図１１】防振部材の変形例を示す、防振部材の部分正面図である。
【図１２】締結部に防振部材を取付ける操作を示す斜視図である。
【図１３】締結部に防振部材を取付けた後の状態を示す斜視図である。
【図１４】防振部材付き締結部をパイプ保持部に取付ける操作を示す説明図である。
【図１５】本発明の第１実施例の防振保持具の組み付け完了後の平面図である。
【図１６】図１５の防振保持具にパイプを取付ける様子を示す正面図である。
【図１７】本発明の第１実施例の防振保持具をスタッドに係止する様子を示す部分断面図である。
【図１８】本発明の第２実施例の防振保持具の組み付け完了後の正面図である。
【符号の説明】
１  第１実施例の防振保持具
２  パイプ保持部
３  締結部
５  防振部材
６〜１０  パイプグリップ部
１２  基部
１３、１７、１８  抜け止め片
１９、２１  フレーム
２２  ガイド
２３  ガイドフレーム
２５  抜け止め爪
２６  スタッド受入穴
２７  係止爪
３０  上部フランジ
３１  下部フランジ
３３  締結部の軸部
３５  凹所
３７〜３９、４１  防振部材の辺
４２  防振部材の側面の溝
４６、４７  パイプ
４９  ボデー
５０  スタッド
５２  第２実施例の防振保持具
５３  締結部
５４  クリップ
５６  弾性係止爪
【図１】
0003947617.tif 000002
【図２】
0003947617.tif 000003
【図３】
0003947617.tif 000004
【図４】
0003947617.tif 000005
【図５】
0003947617.tif 000006
【図６】
0003947617.tif 000007
【図７】
0003947617.tif 000008
【図８】
0003947617.tif 000009
【図９】
0003947617.tif 000010
【図１０】
0003947617.tif 000011
【図１１】
0003947617.tif 000012
【図１２】
0003947617.tif 000013
【図１３】
0003947617.tif 000014
【図１４】
0003947617.tif 000015
【図１５】
0003947617.tif 000016
【図１６】
0003947617.tif 000017
【図１７】
0003947617.tif 000018
【図１８】
0003947617.tif 000019